(57)【要約】      （修正有）【課題】支柱とガラスを接合する事によるみなし４辺支持の取付構造を提供する。【解決手段】支柱１と合わせガラス２をコーキング材５ａ〜５ｃで接合する。みなし４辺支持の確立により耐風圧強度値を達成することが出来る。みなし４辺支持を確立することにより耐風圧強度が上がり普通ガラスでも十分な強度が得られるためガラスの選択肢が増え、材料コストを下げる事が出来る。【選択図】図１
0003172445.tif 000002
【実用新案登録請求の範囲】
【請求項１】
支柱材１にバックアップ材６を取り付け、合わせガラス２を所定の位置に納め支柱材１と合わせガラス２の間にコーキング材５ａとコーキング材５ｂ，合わせガラス２の突合せ部２ａの間にコーキング材５ｃを充填し柱とガラスを接合させる構造
【請求項２】
支柱材１に取り付けた笠木受材８に笠木材７を嵌合させ、ガラス受け部分７ａと合わせガラス２の屋外側の隙間に充填したコーキング材５ｄと，部屋内側の隙間に充填したコーキング材５ｅと、下枠材９と下枠材９に設置したセッティングブロック材１１の上に載せバックアップ材６で位置を決めた、合わせガラス２の屋外側の隙間に充填したコーキング材５ｆと、部屋内側の隙間に充填したコーキング材５ｇと支柱材１と合わせガラス２の隙間に充填したコーキング材５ａとコーキング材５ｂで支柱とガラスを接合してみなし４辺支持を確立する構造
【請求項３】
支柱材１と合わせガラス２を結合するために充填するコーキング材５ａ及び５ｂの接着性を高めるために設けた溝４をもつ支柱材１の形状
【請求項４】
支柱材１と合わせガラス２を結合するために充填するコーキング材５ａ及び５ｂの紫外線の影響を防ぐために紫外線カットフイルム３を挟んだ合わせガラス２を手摺の面材として使用する組み合わせ
【請求項５】
前面から見てスッキリとシャープな意匠を実現するために、合わせガラス２を取り付けるための笠木材ガラス受け部７ａを設ける笠木７の形状
【考案の詳細な説明】
【技術分野】
【０００１】  支柱とガラスをコーキング材で接合することによるみなし４辺支持の確立に関するものである
みなし４辺支持とは、２辺支持でありながら、４辺支持と同等のものを言う。
（以下、みなし４辺支持と言う）
【背景技術】
【０００２】  従来はガラスを四方枠で固定するか、上枠と下枠だけでガラスを支持する構造であった
【先行技術文献】
【特許文献】
【０００３】
【特許文献１】特開２００９−２２８３２０号公報  解決手段
【考案の概要】
【考案が解決しようとする課題】
【０００４】  高層階において２辺支持で耐風圧強度値を達成する場合、強化ガラスを用いる必要がありコストが高かった。【０００５】  上枠と下枠だけでガラスを固定する場合、強化ガラスを用いる必要がありコストが高かった。【０００６】  本考案は、このような従来の問題を解決しようとするもので、支柱とガラスをコーキング材で接合する事によるみなし４辺支持の取付構造を提供することを目的とする
【課題を解決するための手段】
【０００７】  手摺の枠材と面材であるガラスをコーキング材で接合する【０００８】  手摺の支柱材に、コーキング材の密着度を高めるために溝を設ける【０００９】  面材には合せガラスを使用する
【考案の効果】
【００１０】  みなし４辺支持の確立により普通のガラスを使用しても耐風圧強度値を達成することが出来た【００１１】  みなし４辺支持を確立することにより耐風圧強度が上がり普通ガラスでも十分な強度が得られるためガラスの選択肢が増え、材料コストを下げる事が出来た。
【図面の簡単な説明】
【００１２】
【図１】支柱とガラスの接合部を示した水平断面図である。
【図２】手摺の構成を示す垂直断面図である。
【図３】手摺の全体図である。
【図４】柱の溝を示す断面図である。
【考案を実施するための形態】
【００１３】  ガラス手摺の枠材と面材である合わせガラスをコーキング材で接合する事で耐風圧強度と意匠性の高い製品を実現した。
【実施例１】
【００１４】  図１は支柱材１と合わせガラス２の接合を示す断面図である。支柱材１にバックアップ材６を貼り付け、合わせガラス２の位置を決めたあとコーキング材５ａ及び５ｂを充填する【００１５】  合わせガラスが左右にが連続する場合、合わせガラス突合せ部２ａの間にコーキング材５ｃを充填する【００１６】  図２は手摺の上枠と下枠に面材である合わせガラスを取り付ける構造を示した断面図である。支柱材１に取り付けた笠木受材８に笠木７を嵌合させ、ビスで固定する。【００１７】  下枠材９にセッティングブロック材１１を置き合わせガラス２を上に乗せて位置を決め、笠木材７のガラス受け部７ａと合わせガラス２の隙間をコーキング材５ｄ及び５ｅで接合し、下枠材９と合わせガラス２の隙間をコーキング材５ｆ及び５ｇで接合する。
【符号の説明】
【００１８】  １：支柱材
２：合わせガラス
２ａ：合わせガラス突合せ部
３：紫外線カットフイルム
４：溝
５ａ：コーキング材
５ｂ：コーキング材
５ｃ：コーキング材
５ｄ：コーキング材
５ｅ：コーキング材
５ｆ：コーキング材
５ｇ：コーキング材
６：バックアップ材
７：笠木材
７ａ：笠木材ガラス受け部
８：笠木受材
９：下枠材
１０：縦枠材
１１：セッティングブロック材
【産業上の利用可能性】
【００１９】  上記の構造は、マンション又は一戸建ての建築物に対して設置するガラス手摺に利用可能である
【図１】
0003172445.tif 000003
【図２】
0003172445.tif 000004
【図３】
0003172445.tif 000005
【図４】
0003172445.tif 000006
【手続補正書】
【提出日】平成23年9月26日(2011.9.26)
【手続補正１】
【補正対象書類名】実用新案登録請求の範囲
【補正対象項目名】請求項１
【補正方法】変更
【補正の内容】
【請求項１】
支柱１にバックアップ材６を取り付け、合わせガラス２を所定の位置に納め支柱１と合わせガラス２の間にコーキング材５ａとコーキング材５ｂ，合わせガラス２の突合せ部２ａの間にコーキング材５ｃを充填する支柱とガラスの取付構造
【手続補正２】
【補正対象書類名】実用新案登録請求の範囲
【補正対象項目名】請求項２
【補正方法】変更
【補正の内容】
【請求項２】
支柱１に取り付けた笠木受材８に笠木材７を嵌合させ、ガラス受け部分７ａと合わせガラス２の屋外側の隙間に充填したコーキング材５ｄと，部屋内側の隙間に充填したコーキング材５ｅと、下枠材９と下枠材９に設置したセッティングブロック材１１の上に載せバックアップ材６で位置を決めた、合わせガラス２の屋外側の隙間に充填したコーキング材５ｆと、部屋内側の隙間に充填したコーキング材５ｇと支柱１と合わせガラス２の隙間に充填したコーキング材５ａとコーキング材５ｂで接合し、みなし４辺支持を確立する支柱とガラスの取付構造
【手続補正３】
【補正対象書類名】実用新案登録請求の範囲
【補正対象項目名】請求項３
【補正方法】変更
【補正の内容】
【請求項３】
支柱１と合わせガラス２を結合するために充填するコーキング材５ａ及び５ｂの接着性を高めるための溝を設けたことを特徴とするガラス手摺の請求項１に記載の取付構造
【手続補正４】
【補正対象書類名】実用新案登録請求の範囲
【補正対象項目名】請求項４
【補正方法】変更
【補正の内容】
【請求項４】
支柱１と合わせガラス２を結合するために充填するコーキング材５ａ及び５ｂの紫外線の影響を防ぐために紫外線カットフイルム３を挟んだ合わせガラス２を手摺の面材として使用する組み合わせを特徴とするガラス手摺の請求項１に記載の取付構造
【手続補正５】
【補正対象書類名】実用新案登録請求の範囲
【補正対象項目名】請求項５
【補正方法】変更
【補正の内容】
【請求項５】
前面から見てスッキリとシャープな意匠を実現するために、合わせガラス２を取り付けるための笠木材ガラス受け部７ａを設ける笠木７の形状を特徴とするガラス手摺の請求項１に記載の取付構造
【手続補正６】
【補正対象書類名】明細書
【補正対象項目名】０００８
【補正方法】変更
【補正の内容】
【０００８】  手摺の支柱に、コーキング材の密着度を高めるために溝を設ける
【手続補正７】
【補正対象書類名】明細書
【補正対象項目名】００１４
【補正方法】変更
【補正の内容】
【００１４】  図１は支柱１と合わせガラス２の接合を示す断面図である。支柱１にバックアップ材６を貼り付け、合わせガラス２の位置を決めたあとコーキング材５ａ及び５ｂを充填する
【手続補正８】
【補正対象書類名】明細書
【補正対象項目名】００１６
【補正方法】変更
【補正の内容】
【００１６】  図２は手摺の上枠と下枠に面材である合わせガラスを取り付ける構造を示した断面図である。支柱１に取り付けた笠木受材８に笠木７を嵌合させ、ビスで固定する。
【手続補正９】
【補正対象書類名】明細書
【補正対象項目名】００１８
【補正方法】変更
【補正の内容】
【００１８】  １：支柱
２：合わせガラス
２ａ：合わせガラス突合せ部
３：紫外線カットフイルム
４：溝
５ａ：コーキング材
５ｂ：コーキング材
５ｃ：コーキング材
５ｄ：コーキング材
５ｅ：コーキング材
５ｆ：コーキング材
５ｇ：コーキング材
６：バックアップ材
７：笠木材
７ａ：笠木材ガラス受け部
８：笠木受材
９：下枠材
１０：縦枠材
１１：セッティングブロック材